(57)【要約】【課題】記録媒体の半挿し状態を検出する手段と開閉パネルの開状態又は閉状態を検出する手段とを兼用することで部品点数を減らし、コストを削減した記録媒体再生装置を提供することである。【解決手段】記録媒体再生装置（ナビゲーション装置）１０は、記録媒体の挿入口１４が形成された装置本体１１と、挿入口１４を覆う閉状態と挿入口１４を露出させる開状態との間を移動する自動開閉パネル１５と、自動開閉パネル１５の装置本体１１側に、記録媒体が途中まで挿入された半挿し状態を検出するとともに、自動開閉パネル１５の閉状態又は開状態の何れか一方を検出する検出手段２４とを設けた構成とする。【選択図】図３
2012178205.tif 000002
【特許請求の範囲】
【請求項１】
記録媒体の挿入口が形成された装置本体と、該挿入口を覆う閉状態と該挿入口を露出させる開状態との間を移動する自動開閉パネルとを備えた記録媒体再生装置において、
前記自動開閉パネルの前記装置本体側に、前記記録媒体が途中まで挿入された半挿し状態を検出するとともに、前記自動開閉パネルの閉状態又は開状態の何れか一方を検出する検出手段を設けたことを特徴とする記録媒体再生装置。
【請求項２】
前記半挿し状態又は前記閉状態若しくは開状態を検出した場合、前記自動開閉パネルの動作を停止させることを特徴とする請求項１記載の記録媒体再生装置。
【請求項３】
前記自動開閉パネルは、前記検出手段は、前記自動開閉パネルの前記装置本体側の上端部に設けられることを特徴とする請求項１又は２記載の記録媒体再生装置。
【請求項４】
前記検出手段は、前記装置本体側に突出したレバー部と、該レバー部が押し込まれることでオンになるスイッチとを有することを特徴とする請求項１〜３の何れかに記載の記録媒体再生装置。
【請求項５】
前記自動開閉パネルを回動可能に支持し、前記装置本体内と前記装置本体外とをスライド移動することで前記自動開閉パネルを開閉するパネル支持部材と、該パネル支持部材のレールの歯数を読み取る歯数検出手段とを備え、
前記歯数検出手段の検出結果から前記自動開閉パネルの位置を求めることを特徴とする請求項１〜４の何れかに記載の記録媒体再生装置。
【発明の詳細な説明】
【技術分野】
【０００１】
本発明は、自動開閉パネルを有する記録媒体再生装置に関する。
【背景技術】
【０００２】
従来から、オーディオ装置、ナビゲーション装置、光ディスク装置などの記録媒体再生装置には、特に車載用のものに、記録媒体の出し入れ時に自動又は手動で開閉する開閉パネルを有するものがある。例えば、嵌め込み式のカーナビゲーション装置では前面の液晶パネルが上方又は下方に開き、光ディスクやメモリカード等の記録媒体の出し入れを行うものが多い（特許文献１参照）。
【０００３】
このような記録媒体再生装置では、メモリカード等の各種カードが途中までしか挿入されていない状態（半挿し状態）の場合、開閉パネルの閉動作の妨げとなる。そのため、例えば、カードの挿入完了を検出するスイッチの他に、カード挿入口付近に半挿し状態を検出するフォトインタラプタを配し、カードの半挿し状態が検出されれば、開閉パネルの閉動作を停止させている。
【先行技術文献】
【特許文献】
【０００４】
【特許文献１】特開２００８−２０９２００号公報
【発明の概要】
【発明が解決しようとする課題】
【０００５】
しかしながら、カードの半挿し状態を検出するためだけにフォトインタラプタを設けているので、部品点数が増加し、コスト上昇に繋がっている。そのため、既存の機能を維持しながら部品点数を減らすことで、コスト削減に繋げることが課題となっている。
【０００６】
本発明は、記録媒体の半挿し状態を検出する手段と開閉パネルの開状態又は閉状態を検出する手段とを兼用することで部品点数を減らし、コストを削減した記録媒体再生装置を提供することを目的とする。
【課題を解決するための手段】
【０００７】
上記目的を達成するために本発明は、記録媒体の挿入口が形成された装置本体と、該挿入口を覆う閉状態と該挿入口を露出させる開状態との間を移動する自動開閉パネルとを備えた記録媒体再生装置において、前記自動開閉パネルの前記装置本体側に、前記記録媒体が途中まで挿入された半挿し状態を検出するとともに、前記自動開閉パネルの閉状態又は開状態の何れか一方を検出する検出手段を設けたことを特徴とする。
【０００８】
そして上記の記録媒体再生装置において、前記半挿し状態又は前記閉状態若しくは開状態を検出した場合、前記自動開閉パネルの動作を停止させることとする。
【０００９】
また上記の記録媒体再生装置において、前記検出手段は、前記自動開閉パネルの前記装置本体側の上端部に設けられることが望ましい。
【００１０】
また上記の記録媒体再生装置において、前記検出手段は、前記装置本体側に突出したレバー部と、該レバー部が押し込まれることでオンになるスイッチとを有することが望ましい。
【００１１】
また上記の記録媒体再生装置において、前記自動開閉パネルを回動可能に支持し、前記装置本体内と前記装置本体外とをスライド移動することで前記自動開閉パネルを開閉するパネル支持部材と、該パネル支持部材のレールの歯数を読み取る歯数検出手段とを備え、前記歯数検出手段の検出結果から前記自動開閉パネルの位置を求めることが望ましい。
【発明の効果】
【００１２】
本発明によると、従来必要であった記録媒体の半挿し状態を検出するフォトインタラプタと開閉パネルの開状態又は閉状態を検出する手段とを省略し、記録媒体の半挿し状態を検出する手段と開閉パネルの開状態又は閉状態を検出する手段とを兼用した検出手段を設けることで、部品点数を減らし、コストを削減することができる。
【図面の簡単な説明】
【００１３】
【図１】本発明のナビゲーション装置の自動開閉パネルが閉じた状態の斜視図である。
【図２】本発明のナビゲーション装置の自動開閉パネルが開いた状態の斜視図である。
【図３】本発明のナビゲーション装置の自動開閉パネルが開いた状態の要部透過側面図である。
【図４】本発明の自動開閉パネルの検出手段付近の側断面図である。
【図５】本発明のナビゲーション装置の要部構成を示すブロック図である。
【図６】本発明のナビゲーション装置における自動開閉パネルの開状態からの動作を示すフローチャートである。
【図７】本発明のＳＤカードの半挿し状態検出時のナビゲーション装置の要部透過側面図である。
【図８】本発明のナビゲーション装置の自動開閉パネルが閉じた状態の要部透過側面図である。
【発明を実施するための形態】
【００１４】
以下、本発明の記録媒体再生装置の一例として、車載用のナビゲーション装置を用いて説明する。図１は、本発明のナビゲーション装置の自動開閉パネルが閉じた状態の斜視図であり、図２は、本発明のナビゲーション装置の自動開閉パネルが開いた状態の斜視図、図３は、本発明のナビゲーション装置の自動開閉パネルが開いた状態の要部透過側面図である。
【００１５】
図１及び図２に示すように、ナビゲーション装置１０は、略直方体の装置本体１１と、装置本体１１の前面に設けられた光ディスクの挿入口１２と、光ディスクの挿入口１２の横に設けられた光ディスクのイジェクトキー１３と、光ディスクの挿入口１２の下方に設けられたＳＤカードの挿入口１４と、光ディスクの挿入口１２及びＳＤカードの挿入口１４を覆う閉状態と光ディスクの挿入口１２及びＳＤカードの挿入口１４を露出させる開状態との間を移動する自動開閉パネル１５と、自動開閉パネル１５の前面に設けられ、地図を表示したり、ラジオの選局周波数を表示したり、テレビ番組の映像を表示したり、ＣＤの再生中の曲目を表示したり、ＤＶＤの再生映像を表示したりする液晶表示部１６と、自動開閉パネル１５の前面下部に設けられたパネル開閉キー１７ａ等を備えた操作部１７とを備えている。
【００１６】
ここでは記録媒体として光ディスクとＳＤカードとを挙げているが、装置本体１１の前面に挿入口を設けて装置本体１１内に挿入できるカード型等の記録媒体であれば特に限定はなく、ＥＴＣ（Electronic Toll Collection）カード等であってもよい。すなわち、後述する半挿し状態の検出は、各種記録媒体の半挿し状態の検出に適用できる。
【００１７】
自動開閉パネル１５の開閉機構としては、ここでは自動開閉パネル１５が下方に移動して開状態となる機構としたが、逆に自動開閉パネル１５が上方に移動して開状態となる機構でもよい。また、ここで示したヒンジとスライドとを組み合わせた方式の他に、上下又は左右にスライドするスライド式であってもよい。
【００１８】
また図３に示すように、装置本体１１は、自動開閉パネル１５の下部を回動可能に支持し、装置本体１１内と装置本体外とをスライド移動することで自動開閉パネル１５を開閉するパネル支持部材２０と、パネル支持部材２０のレールに形成された歯（ラック）に複数のギヤを介して係合するモータ（不図示）と、パネル支持部材２０の後端から上方に突出したフック２０ａによって押されることで自動開閉パネル１５の開状態を検出する開状態検出スイッチ２１と、通過したパネル支持部材２０のレールの歯数を読み取るフォトカプラ等からなる歯数検出センサ（歯数検出手段）２２と、ＳＤカードによって押されることでＳＤカードの挿入が完了したことを検出する挿入完了検出スイッチ２３とを備えている。
【００１９】
一方、自動開閉パネル１５には、その背面（装置本体１１側）の上端部に、ＳＤカードが途中まで挿入された半挿し状態を検出するとともに、自動開閉パネル１５の閉状態を検出する検出手段２４が設けられている。
【００２０】
図４に、自動開閉パネル１５の検出手段２４付近の側断面図を示す。検出手段２４は、装置本体１１側に突出したレバー部２４ａと、レバー部２４ａが押し込まれることでオンになるスイッチ２４ｂとを有する。レバー部２４ａは、略三角柱状でその１つの頂点付近が自動開閉パネル１５に軸支されている。レバー部２４ａは、半挿し状態のＳＤカード又は装置本体１１の前面上端部で押し込まれるようになっており、その他の状態で押し込まれることはない。スイッチ２４ｂは、回路基板１５ａの裏面に搭載されている。図４中、破線はレバー部２４ａが押し込まれ、スイッチ２４ｂがオンになっている状態を示している。
【００２１】
なお、検出手段２４は上記の構成に限らず、他の構成の機械的なスイッチやフォトインタラプタ等の光センサなどを用いてもよい。光センサを用いる場合、例えば、自動開閉パネル１５の背面の上端部に発光部を、ＳＤカードの挿入口１４の下部と自動開閉パネル１５の閉位置において発光部に対向する位置とに受光部を設ければよい。
【００２２】
図５は、本発明のナビゲーション装置の要部構成を示すブロック図である。ナビゲーション装置１０は、各部を制御する制御部３０と、ＣＤやＤＶＤに記録されたデータを再生するディスク再生部３１と、ラジオ放送信号やテレビ放送信号を復調するチューナ部３２と、パネル支持部材２０を駆動するモータ３３と、ＳＤカードの読み書きを行うカード読み書き部３４と、液晶表示部１６と、操作部１７と、開状態検出スイッチ２１と、歯数検出センサ２２と、挿入完了検出スイッチ２３と、検出手段２４とを備えている。
【００２３】
そして、制御部３０はＳＤカードの半挿し状態又は自動開閉パネル１５の閉状態を検出した場合、自動開閉パネルの動作を停止させる制御も行う。以下に、この制御について詳しく説明する。
【００２４】
図６は、ナビゲーション装置１０における自動開閉パネル１５の開状態からの動作を示すフローチャートである。まず、自動開閉パネル１５が開状態（図２の状態）にあるとき、ユーザによってパネル開閉キー１７ａが操作されると、ステップＳ１０において制御部３０は、自動開閉パネル１５を閉じる指示があったと判断し、ステップＳ１１へ進んで自動開閉パネル１５の閉じる方向にモータ３３を駆動させ、自動開閉パネル１５を閉動作させる。
【００２５】
自動開閉パネル１５の閉動作中に、ステップＳ１２において、制御部３０は検出手段２４のスイッチ２４ｂがオンになったか否かを判別する。検出手段２４からオン信号が入力されると、ステップＳ１３へ進んで制御部３０はモータ３３を停止させ、自動開閉パネル１５の閉動作を停止させる。
【００２６】
ステップＳ１３からはステップＳ１４へ進んで、制御部３０は歯数検出センサ２２から自動開閉パネル１５の開状態から検出手段２４がオンになったときまでに検出した歯数を取得する。
【００２７】
そして、ステップＳ１５へ進んで取得した歯数の値から自動開閉パネル１５の位置を算出する。予め、自動開閉パネル１５の開状態からＳＤカード半挿し状態検出位置までに進む歯数と、自動開閉パネル１５の開状態から閉状態までに進む歯数とを制御部３０内のメモリ等に記憶しておき、取得した歯数と比較することで、現在の自動開閉パネル１５の位置がＳＤカード半挿し状態を検出した位置なのか閉状態の位置なのかを求めることができる。
【００２８】
図７は、ＳＤカードの半挿し状態検出時のナビゲーション装置の要部透過側面図である。自動開閉パネル１５の閉動作によって、検出手段のレバー部２４ａが半挿し状態のＳＤカードによって押し込まれることでスイッチ２４ｂがオンになり、自動開閉パネル１５が停止した状態である。
【００２９】
図８は、ナビゲーション装置の自動開閉パネルが閉じた状態の要部透過側面図である。自動開閉パネル１５の閉動作によって、検出手段のレバー部２４ａが装置本体１１の前面上端部で押し込まれることでスイッチ２４ｂがオンになり、自動開閉パネル１５が停止した状態である。
【００３０】
ステップＳ１５からはステップＳ１６へ進んで、現在の自動開閉パネル１５の位置がＳＤカード半挿し状態を検出した位置か否かを判別する。半挿し状態を検出した場合、ステップＳ１７へ進んで制御部３０は自動開閉パネル１５の開く方向にモータ３３を駆動させ、自動開閉パネル１５を開動作させ、開状態で停止させる。
【００３１】
これにより、ユーザはＳＤカードを抜き差しした後、再びパネル開閉キー１７ａを操作することで自動開閉パネル１５を閉動作させることができる。なお、ＳＤカードの半挿し状態検出位置で自動開閉パネル１５を停止させたままでもよく、この状態でもユーザはＳＤカードを抜き差しでき、再びパネル開閉キー１７ａを操作することで自動開閉パネル１５を閉動作させることができる。
【００３２】
一方、ステップＳ１６において、現在の自動開閉パネル１５の位置がＳＤカード半挿し状態を検出した位置でない場合、つまり、自動開閉パネル１５の閉状態を検出した場合は、正常な動作であるのでこのまま処理を終了する。
【００３３】
このように、従来必要であった半挿し状態を検出するフォトインタラプタと自動開閉パネル１５の閉状態を検出する手段とを省略し、ＳＤカードの半挿し状態を検出する手段と自動開閉パネル１５の閉状態を検出する手段とを兼用した検出手段２４を設けることで、部品点数を減らし、コストを削減することができる。
【００３４】
上記の実施形態では、自動開閉パネル１５の位置を求めるために歯数検出センサ２２を用いたが、自動開閉パネル１５の位置は他の手法で求めてもよく、例えば、モータ３３の回転数又はモータ３３の駆動時間などから求めることもできる。
【００３５】
上記の実施形態では検出手段２４でＳＤカードの半挿し状態と自動開閉パネル１５の閉状態とを検出する形態を例に説明したが、検出手段２４でＳＤカードの半挿し状態と自動開閉パネル１５の開状態とを検出するようにしてもよい。自動開閉パネル１５の開状態で検出手段２４のスイッチ２４ｂがオンになるように、装置本体１１前面の下部に検出手段２４のレバー部２４ａに対向する突起部を設けておけばよい。この場合、自動開閉パネル１５の閉状態を検出するスイッチが必要で、開状態を検出するスイッチを省略することができる。したがって、このような構成でも本発明の効果は得られる。
【００３６】
なお、ＳＤカードの半挿しを検出した場合、画像や音声でその旨をユーザに報知するようにしてもよい。
【産業上の利用可能性】
【００３７】
本発明は、自動開閉パネルを有する記録媒体再生装置、例えば、車載用又は家庭用のオーディオ装置、ナビゲーション装置、光ディスク装置に利用することができる。
【符号の説明】
【００３８】
１０  ナビゲーション装置（記録媒体再生装置）
１１  装置本体
１２  光ディスクの挿入口
１４  ＳＤカードの挿入口
１５  自動開閉パネル
２０  パネル支持部材
２２  歯数検出センサ（歯数検出手段）
２４  検出手段
２４ａ  レバー部
２４ｂ  スイッチ
【図１】
2012178205.tif 000003
【図２】
2012178205.tif 000004
【図３】
2012178205.tif 000005
【図４】
2012178205.tif 000006
【図５】
2012178205.tif 000007
【図６】
2012178205.tif 000008
【図７】
2012178205.tif 000009
【図８】
2012178205.tif 000010